(57)【要約】【課題】本発明は、短時間で機内の殺菌効果を得るとともに、クリーン運転時間の短縮化を図り、空気調和機の使い勝手を向上させ、長期間に亘り内部を清潔な状態にして、据付け時における空調能力を保持する空気調和機の室内機を提供する。【解決手段】室内機本体１の空気吸込口４と吹出口６を連通する送風路２４に、エアフィルタ１１、室内熱交換器８、室内熱交換器の通風二次側に室内送風機２０が順に配置され、室内機本体内に、ファン清掃装置Ｂおよびオゾン発生装置１８と、室内機本体内の埃と空気を屋外へ排出する排気装置Ｄとを備え、排気装置による排気運転を実行しながらファン清掃装置によるファン清掃運転の実行と、排気装置による排気運転を実行しながらオゾン発生装置によるオゾン殺菌運転の実行を行う制御部Ｓを備えた。【選択図】    図１
2008045823.tif 000002
【特許請求の範囲】
【請求項１】
室内機本体の空気吸込口と吹出口を連通する送風路に、エアフィルタ、室内熱交換器および、この室内熱交換器の通風二次側に室内送風機が順に配置された空気調和機の室内機において、
上記室内機本体内に、室内送風機のブレードに付着した埃を除去するファン清掃装置と、オゾンを発生させて機内を殺菌するオゾン発生装置と、室内機本体内の埃と空気を室内機本体内から屋外へ排出する排気装置と、ファン清掃装置とオゾン発生装置と排気装置とを運転制御する制御部と、を備え、
上記制御部は、排気装置による排気運転を実行しながら上記ファン清掃装置によるファン清掃運転を実行する手段と、排気装置による排気運転を実行しながらオゾン発生装置によるオゾン殺菌運転を実行する手段とを備えた、
ことを特徴とする空気調和機の室内機。
【請求項２】
室内機本体の空気吸込口と吹出口を連通する送風路に、エアフィルタ、室内熱交換器および、この室内熱交換器の通風二次側に室内送風機が順に配置された空気調和機の室内機において、
上記室内機本体内に、室内送風機のブレードに付着した埃を除去するファン清掃装置と、オゾンを発生させて機内を殺菌するオゾン発生装置と、室内機本体内の埃と空気を室内機本体内から屋外へ排出する排気装置と、ファン清掃装置とオゾン発生装置と排気装置とを運転制御する制御部と、を備え、
上記制御部は、排気装置による排気運転を実行しながら上記ファン清掃装置によるファン清掃運転およびオゾン発生装置によるオゾン殺菌運転を同時に実行するよう制御する手段とを備えた、
ことを特徴とする空気調和機の室内機。
【請求項３】
上記室内機本体内に、上記吸込口に設けられ吸込口を開閉可能な可動パネルと、上記吹出口に設けられ風向方向を設定するとともに吹出口を開閉可能な吹出しルーバーとを備え、
上記可動パネルで吸込口を閉成し、かつ上記吹出しルーバーで吹出口を閉成するよう制御したうえで、ファン清掃運転およびオゾン殺菌運転を実行することを特徴とする請求項１および請求項２のいずれかに記載の空気調和機の室内機。
【発明の詳細な説明】
【技術分野】
【０００１】
本発明は、送風機のブレードに対する掃除機能とオゾン殺菌機能を併せた機内クリーン機能を備える空気調和機の室内機に関する。
【背景技術】
【０００２】
室内機本体内には、エアフィルタおよび室内熱交換器とともに室内送風機が収容される。この室内送風機は、室内空気を吸込んで室内熱交換器に流通させ、熱交換させたあと再び室内へ吹出す作用をなす。室内機に採用される室内送風機は、横流ファンと、この横流ファンを回転駆動するモータとから構成される。  
上記室内送風機を構成する上記横流ファンには、エアフィルタで捕捉されず、エアフィルタを通過した空気中に含まれる微細な埃やカビの胞子が付着し易い。長期間の使用により、横流ファンの表面に埃やカビが付着・堆積し、そのため空調能力が低下して消費電力の増大に繋がる虞れがある。
【０００３】
そこで、近年、カビ発生の原因となる本体内の湿気を取除く乾燥運転と、カビの胞子を死滅させるため内部にオゾンを充満させる殺菌運転および、機内に存在する汚れた空気や湿気を外部へ排出する排気運転などを実行する機内クリーン運転を、空気調和運転の終了後に行うようにした空気調和機が、［特許文献１］に開示されている。
【特許文献１】特開２００２−３４９８９１号公報
【発明の開示】
【発明が解決しようとする課題】
【０００４】
上述の［特許文献１］の技術を採用すれば、長期に亘って機内クリーニングを不要とできる利点がある。  
ところで、［特許文献１］による機内クリーン運転は、吸込口や吹出口を閉成したうえで室内送風機を停止し、さらにオゾン発生装置である電気集塵機に通電することで行われる。  
すなわち、本体内部全体にオゾンを充満させることで殺菌がなされるが、実際には、機外へのオゾンの流出を抑え、機内でのオゾン殺菌効果を高めるため、横流ファンを停止状態としてオゾン発生装置を作動させ、本体内部でのオゾン充満を図るようにしている。このため、本体内部の隅々までオゾンを行き渡らせるのに時間を要していた。
【０００５】
また、このような機内の乾燥運転や、オゾン殺菌運転などの機内クリーン運転は、通常の空調運転を停止させたあと、自動的に実行するよう設定されている。しかしながら、停止ボタンを停止した後、さらに空調機が運転状態を所定の長時間(１時間前後)継続するため、ユーザーのなかには、この機内クリーン運転を、空調運転が停止せずそのまま継続しているものと誤解して、クリーン運転の途中で強制的に停止させてしまう場合がある。  
機内クリーン運転が充分に行われない状態で、長期間に亘って空気調和機を使用していると、本体内の殺菌が不充分となり、特に、室内熱交換器の後流側に配置される横流ファンに対する殺菌が不充分となる。そのため、使用条件によっては、ブレード表面に付着したカビの胞子が繁殖し、微細な埃が付着することで堆積して、送風効率の低下を招く原因となってしまう場合がある。
【０００６】
本発明は上記事情にもとづきなされたものであり、その目的とするところは、機内の殺菌、清掃運転を、短時間で効果的に行うことで、空気調和機の使い勝手を向上させ、長期間に亘り内部を清潔な状態にして、据付け時における空調能力を保持する空気調和機の室内機を提供しようとするものである。
【課題を解決するための手段】
【０００７】
上記目的を満足するため本発明の空気調和機の室内機は、室内機本体の空気吸込口と吹出口を連通する送風路に、エアフィルタ、室内熱交換器および、この室内熱交換器の通風二次側に室内送風機が順に配置され、上記室内機本体内に、室内送風機のブレードに付着した埃を除去するブレード清掃装置と、オゾンを発生させて機内を殺菌するオゾン発生装置と、室内機本体内の埃と空気を室内機本体内から屋外へ排出する排気装置と、ファン清掃装置とオゾン発生装置と排気装置とを運転制御する制御部とを備え、上記制御部は、排気装置による排気運転を実行しながらファン清掃装置によるファン清掃運転を実行する手段と、排気装置による排気運転を実行しながらオゾン発生装置によるオゾン殺菌運転を実行する手段を備えた。
【０００８】
また、本発明の空気調和機の室内機は、室内機本体の空気吸込口と吹出口を連通する送風路に、エアフィルタ、室内熱交換器および、この室内熱交換器の通風二次側に室内送風機が順に配置され、上記室内機本体内に、室内送風機のブレードに付着した埃を除去するファン清掃装置と、オゾンを発生させて機内を殺菌するオゾン発生装置と、室内機本体内の埃と空気を室内機本体内から屋外へ排出する排気装置と、ファン清掃装置とオゾン発生装置と排気装置とを運転制御する制御部とを備え、上記制御部は、排気装置による排気運転を実行しながらファン清掃装置によるファン清掃運転およびオゾン発生装置によるオゾン殺菌運転を同時に実行するよう制御する手段を備えた。
【発明の効果】
【０００９】
本発明によれば、機内クリーン運転時間の短縮化を図り、よって長期間に亘り内部を清潔な状態にして、据付け時における空調能力を保持する効果を奏する。
【発明を実施するための最良の形態】
【００１０】
以下、図面を参照しながら、本発明の実施の形態について詳細に説明する。  
図１は空気調和機の室内機に係る概略の縦断面図、図２は前面パネル２を外した状態での室内機本体１の正面図である。（なお、説明中に符号を付していない部品は図示していない。以下同じ）  
室内機本体１は、前側筐体を構成する前面パネル２と、後板筐体３とから構成され、上下方向に対し幅方向に横長状をなす。室内機本体１の前面側一部に前部吸込口４が開口され、この前部吸込口４に対向する前面パネル２には開閉駆動機構に支持される可動パネル２Ａが嵌め込まれている。
【００１１】
図１のような空調運転停止時（後述する機内クリーン運転中）では、上記可動パネル２Ａは前面パネル２表面に接合して前部吸込口４を閉成する。空調運転時には、手前側に突出して前部吸込口４が室内に対して開放するよう制御される。室内機本体１の上部には、桟によって複数の空間部に仕切られる上部吸込口５が設けられる。  
上記室内機本体１の前面下部に吹出口６が開口され、この吹出口６には２枚の吹出しルーバー７ａ，７ｂが並行して設けられる。各吹出しルーバー７ａ，７ｂは、空調運転の種類に応じて回動姿勢をとり熱交換空気の吹出し方向が設定される。空調運転停止時および機内クリーン運転中には上記吹出口６を閉成するようになっている。
【００１２】
室内機本体１内には、前側熱交換器部８Ａと後側熱交換器部８Ｂとで略逆Ｖ字状に形成される室内熱交換器８が配置される。前側熱交換器部８Ａは、前面パネル２と間隙を存してほぼ平行な湾曲状に形成され、前部吸込口４と上部吸込口５一部に対向する。後側熱交換器部８Ｂは、直状に形成され、上部吸込口５一部と斜めに傾斜して対向する。  
前面パネル２と室内熱交換器８との間に枠体組立て１０が設けられる。前部吸込口４および上部吸込口５と、前側熱交換器部８Ａおよび後側熱交換器部８Ｂとの間に、エアフィルタ１１を構成する前部エアフィルタ１１Ａと上部エアフィルタ１１Ｂが介在し、それぞれが枠体組立て１０に対して移動自在に支持される。
【００１３】
枠体組立て１０における前部エアフィルタ１１Ａ上端と上部エアフィルタ１１Ｂ前端との間に、エアフィルタ清掃装置Ａが配置される。エアフィルタ清掃装置Ａは、前部エアフィルタ１１Ａを上部エアフィルタ１１Ｂの上面側に往復移動させ、上部エアフィルタ１１Ｂを前部エアフィルタ１１Ａの前面側に往復移動させる駆動部を備えている。  
さらにエアフィルタ清掃装置Ａは、ダストボックス１２内に、前部エアフィルタ１１Ａと上部エアフィルタ１１Ｂの移動中に各エアフィルタに付着し堆積する埃を除去するロールブラシ１３と、除去した埃を収集する埃受け通路１４および、除去した埃がエアフィルタ清掃装置Ａから周辺に飛散しないようダストボックス１２を略密閉状態とするシール機構１５を備えている。
【００１４】
枠体組立て１０には、前側熱交換器部８Ａの前面側で、かつ前部エアフィルタ１１Ａの背面側に位置するよう空気清浄ユニット１７が取付けられる。上記空気清浄ユニット１７は、左右一対の電気集塵機１８，１８と、一方の電気集塵機１８側部に配置される集塵機電源部１９とから構成される。  
各電気集塵機１８は、流通する空気中の埃に電荷を与える荷電側電極と、電荷を与えられた埃を捕捉する集塵側電極を備えている。各電極表面には脱臭剤が塗布され、電気集塵機として集塵機能と脱臭機能を併せ有する。そして、電気集塵機１８は室内空気が導かれない機内の対流を行う状態では、高圧側で発生したオゾンを利用するオゾン発生装置として機能する。
【００１５】
側面視で傘状に形成される上記室内熱交換器８の前、後側熱交換器部８Ａ，８Ｂ相互間に、室内送風機２０が配置される。室内送風機２０は、室内機本体１の一側端のスペースに配置されるファンモータと、このファンモータの回転軸に一方の支軸が連結される横流ファン（クロスフローファン）２１とから構成される。  
この室内送風機２０を駆動することで、室内空気が前、上部吸込口４，５から室内機本体１内に吸込まれ、前、上部エアフィルタ１１Ａ，１１Ｂから空気清浄ユニット１７と室内熱交換器８を流通し、さらに室内送風機２０を介して吹出口６から吹出される送風路２４が形成されるようになっている。
【００１６】
上記前側熱交換器部８Ａの下端部は前ドレンパン２２ａ上に載り、上記後側熱交換器部８Ｂの下端部は後ドレンパン２２ｂ上に載る。前、後ドレンパン２２ａ，２２ｂは、それぞれの熱交換器部８Ａ，８Ｂから滴下するドレン水を受け、図示しない排水ホースを介して外部に排水できるようになっている。  
前後ドレンパン２２ａ，２２ｂの一部側壁外面は室内送風機２０に近接して設けられ、これらで横流ファン２１に対するノーズを構成している。ノーズとなる前後ドレンパン２２ａ，２２ｂの側壁部分から吹出口６の各辺部との間に亘ってケーシング２３が設けられ、このケーシング２３で囲まれる空間が、ノーズと吹出口６とを連通する上記送風路２４の一部を構成する。
【００１７】
図３は、上記横流ファン２１の概略の構成図である。  
上記横流ファン２１は、軸方向の両側部に設けられる円板状の端板２５と、これら両側端板２５の間に所定間隔を存して並置される複数枚の円板状の中間仕切り板２６と、これら両側端板２５と中間仕切り板２６の周端部に沿って設けられる溝部を貫通し、たとえば接着等の手段をもって取付け固定される複数枚のブレード２７からなる。  
図中右側の端板２５の軸芯部には孔部２５ａが設けられていて、ここに上記ファンモータの回転軸が挿入され、かつ固定される。図中左側の端板２５の軸芯部には支軸２５ｂが外方へ突設されていて、この支軸２５ｂは横流ファン２１側部に設けられる軸受部に支持される。
【００１８】
図中右側の端板２５には、上記孔部２５ａと周端部との間に複数の円弧状長孔ｂが設けられ、左側の端板２５には支軸２５ｂと周端部との間に複数の孔部ｃが設けられる。上記中間仕切り板２６には、上記ブレード２７の取付け部位を除く軸芯部に円形の開口部ｄが設けられる。  
上記横流ファン２１は回転駆動されることによって周方向から空気を吸込み、周方向へ吹出すことができる。その一方で、一方の端板２５に設けられる円弧状長孔ｂと、中間仕切り板２６に設けられる開口部ｄおよび他方の端板２５に設けられる孔部ｃとが互いに連通状態となっている。すなわち、横流ファン２１を構成するブレード２７の内側に、上記孔部ｂ等からなる埃回収用開口部２８が開口されている。  
再び図１に示すように、横流ファン２１から吹出口６に至り送風路２４の一部を構成するケーシング２３に、ファン清掃装置Ｂと、気流変更装置Ｃの両方が１ヶ所にまとまった状態で取付けられる。なお、図１は上記ファン清掃装置Ｂと気流変更装置Ｃとの双方が同時に作用している状態を示している。
【００１９】
ケーシング２３の外周側一部に、周方向に所定長さで、軸方向に横流ファン２１の全長と対向し収納用凹部３０が設けられる。上記ファン清掃装置Ｂおよび気流変更装置Ｃともに、所定の板厚で、収納用凹部３０に収容される幅寸法と長さ寸法の平板状部材を備えている。すなわち、ファン清掃装置Ｂは板状清掃部材４０を備え、気流変更装置Ｃは気流変更板５０を備えている。  
上記板状清掃部材４０は、一端部が送風路２４の最上流側に回動支点４１を備え、他端部が自由端として回動自在に支持される。自由端となる端部には清掃部４２が設けられていて、ここではブラシが取付けられている。このブラシ４２は、板状清掃部材４０の厚みと略同一の厚みで、幅方向の全長に亘って設けられている。
【００２０】
ブラシ４２には、防カビ剤、抗菌剤、潤滑剤、帯電防止剤のいずれか１つ、もしくは複数が含有され、もしくは表面に塗布される柔軟材である。さらにそのうえ、ブラシ４２の表面は金属の薄い膜を形成する金属蒸着処理が施されていて、ブラシ４２表面の耐摩耗性が高められている。  
上記気流変更板５０は、一端部が送風路２４の最下流側に回動支点５１を備え、他端部が自由端として回動自在に支持される。気流変更板５０は、完全な平板であり、自由端に何らの部材も取付けられていない。気流変更板５０と板状清掃部材４０は、互いに１つの共通する駆動部（図４に示す）に連結されていて、同時に駆動される。
【００２１】
図４は、板状清掃部材４０と気流変更板５０とを駆動する駆動部６０の外観斜視図である。  
板状清掃部材４０の回動支点４１と気流変更板５０の回動支点５１は、それぞれが送風路２４一部を形成するケーシング２３から外部に突出し、ギヤカバー６１内のギヤに嵌着される。これらギヤ間には図示しないアイドルギヤ、カムおよびリンク機構等が介設されていて、ギヤカバー６１の外面に取付けられる駆動モータ６２の回転軸に連結される。  
したがって、駆動モータ６２が駆動されると、板状清掃部材４０と気流変更板５０は同時に回動変位するように構成されている。これは、上記吹出口６に設けられる２枚の吹出しルーバー７ａ，７ｂが同時に、かつ互いに異なる回動姿勢で変位する構成と基本的に一致する。
【００２２】
図５は、板状清掃部材４０と気流変更板５０がともに収納用凹部３０に収納された状態を示す要部の断面図である。  
板状清掃部材４０と気流変更板５０の非使用時は、ともに収納用凹部３０に収納される。このとき、板状清掃部材４０が下側に収納され、板状清掃部材４０の上側に気流変更板５０が重ね合わされた状態で収納される。なお説明すると、板状清掃部材４０は収納用凹部３０の底面上に直接置かれ、気流変更板５０は板状清掃部材４０を全面的に覆い、かつ気流変更板５０の上面はケーシング２３面と略同一の高さになる。  
制御部Ｓからファン清掃装置Ｂへ作動信号が入ると、板状清掃部材４０が動作するとともに、気流変更板５０も動作するよう設定されている。具体的には、図５の状態から気流変更板５０が回動支点５１を支点として起き上がり、ほとんど直立状態になったタイミングをとって板状清掃部材４０が回動支点４１を支点として回動する。
【００２３】
気流変更板５０がほとんど直立しているので、下側にある板状清掃部材４０の回動は何らの支障も無い。板状清掃部材４０は図１に示すようにほとんど直立した状態で起立すると、気流変更板５０は起立状態から倒れ込み、先端が板状清掃部材４０の側部に当接した位置で停止する。上記横流ファン２１は時計回り方向に回転駆動させられるので、気流変更板５０は横流ファン２１の反回転方向から板状清掃部材４０に当接することとなる。
【００２４】
再び図２に示すように、室内熱交換器８の一側部（図の右側部）には電気部品箱７０が並置される。この電気部品箱７０内には、リモコンから送られる信号や各種のセンサ類から送られる信号にもとづいて、室内送風機２０、エアフィルタ清掃装置Ａの駆動部、ファン清掃装置Ｂと気流変更装置Ｃの駆動部６０、後述する排気装置Ｄの駆動部、他の電動部品を制御する半導体部品および電気部品の集合体である制御部Ｓが収容されている。
【００２５】
なお、上記エアフィルタ清掃装置Ａと、ファン清掃装置Ｂおよび、電気集塵機１８がオゾン発生装置として機能する状態で、これらを総称して、機内クリーン装置Ｆと呼び、上記排気装置Ｄとともに上記制御部Ｓによって制御される。  
上記室内熱交換器８の電気部品箱７０とは反対側（図における左側）の側部には、上記排気装置Ｄが設けられている。この排気装置Ｄは上記室内送風機２０を構成する横流ファン２１の側部に隣設され、この横流ファン２１の軸心の延長上に軸心を有している。
【００２６】
つぎに、上記排気装置Ｄについて詳述する。  
図６は排気装置Ｄに対するエアフィルタ清掃装置Ａとファン清掃装置Ｂの作用説明図、図７は排気装置Ｄとエアフィルタ清掃装置Ａ一部の斜視図である。  
上記排気装置Ｄは、上記エアフィルタ清掃装置Ａおよび上記ファン清掃装置Ｂが除去した埃と、電気集塵機１８がオゾン発生装置としてオゾンを発生し、それによって殺菌された空気を室外へ排出する機能を備えている。  
なお説明すると、図６に示すように、上記エアフィルタ清掃装置Ａと排気装置Ｄの間には、除去した埃を案内するエアフィルタ用案内路３２が介設され、上記ファン清掃装置Ｂと排気装置Ｄとの間には、除去した埃を案内するファン用案内路３３が形成される。
【００２７】
上記エアフィルタ用案内路３２およびファン用案内路３３は、互いに逆に開閉動作するダンパ機構３４，３５を備えている。エアフィルタ用案内路３２に設けられるダンパ機構３４は風力ダンパであり、ファン用案内路３３に設けられるダンパ機構３５は駆動部に連結される換気ダンパである。  
上記エアフィルタ用案内路３２は、上記排気装置Ｄを構成するファンケーシング３６の周面一部に接続される。上記ファン用案内路３３は、上記排気装置Ｄに形成される導入口３７と対向していて、この導入口３７は上記横流ファン２１の軸受部と対向する位置にあり、かつ上記換気ダンパ３５によって開閉させられるようになっている。
【００２８】
上記エアフィルタ用案内路３２とファン用案内路３３は排気装置Ｄで合流する構成である。そのため、エアフィルタ清掃装置Ａとファン清掃装置Ｂに対して１つの排気装置Ｄで対応でき、部品の共通化による室内機本体１のコンパクト化とメンテナンスの簡素化を得られる。  
排気装置Ｄは、ファンケーシング３６内に、モータに連結される多翼型ファンからなる換気ファン３８を備えている。換気ファン３８と横流ファン２１の軸芯は同一の軸Ｌ上にあり、これらの間に上記導入口３７が形成され、かつ換気ダンパ３５が介設されることとなる。
【００２９】
上記横流ファン２１は室内空気が室内熱交換器８を流通したあとの部位である二次側に配置されているので、上記導入口３７も室内熱交換器８の二次側に開口する。すなわち、換気ダンパ３５は導入口３７を閉成して排気装置Ｄを略密閉化する、もしくは導入口３７を開放してファン清掃装置Ｂおよび室内熱交換器８の二次側に対して排気装置Ｄを開放する、ことのいずれかに制御されるようになっている。  
さらに、ファンケーシング３６には排気ダクト３９が接続されていて、この排気ダクト３９は家屋の壁ｋを貫通して開口端部が屋外へ延出される。  
図７に示すように、上記エアフィルタ清掃装置Ａの一側部には排出ボックス１２ａが設けられていて、この排出ボックス１２ａと上記排気装置Ｄとは接続ホース７１で連通されている。上記接続ホース７１は全体的に緩やかな曲線をなすよう曲成されていて、内部を導通する埃が途中で詰まらないように配慮されている。  
上記排気装置Ｄには、上記接続ホース７１が接続される口体を備えたダンパケース７２が設けられ、このダンパケース７２内に上記風力ダンパ３４が設けられる。すなわち、接続ホース７１とダンパケース７２とで上記エアフィルタ用案内路３２が構成されることになる。
【００３０】
接続ホース７１に所定圧以上の風圧（負圧）が加わると、風力ダンパ３４の自由端は風圧で上方に押され、エアフィルタ用案内路３２を開放する。この状態から所定圧以上の風圧が無くなれば、もしくは正圧が加われば、風力ダンパ３４はエアフィルタ用案内路３２を遮断するようになっている。  
このようにして構成される空気調和機の室内機であって、リモコンの運転スイッチをオンに切換えると、可動パネル２Ａが前部吸込口４を開放し、冷房運転と暖房運転の指定に応じて吹出口６に備えられる吹出しルーバー７ａ，７ｂの風向姿勢が設定される。同時に、室内送風機２０が送風作用をなす一方で、室外機の圧縮機が駆動され冷凍サイクル運転が開始される。
【００３１】
室内空気は、前部吸込口４と上部吸込口５とから室内機本体１内に吸込まれる。そして、前部エアフィルタ１１Ａと上部エアフィルタ１１Ｂを通過し、室内空気中に含まれる埃が捕捉される。さらに、空気清浄ユニット１７を流通して、より微細な埃が捕捉され、室内熱交換器８に導かれて熱交換作用が行われる。  
熱交換したあとの空気は、二次側である横流ファン２１を介して吹出し側の送風路２４を形成するケーシング２３に沿って導かれ、吹出口６から吹出しルーバー７ａ，７ｂに案内されて室内へ吹出され、効率のよい空調運転を継続する。このとき、ファン清掃装置Ｂを構成する板状清掃部材４０と気流変更装置Ｃを構成する気流変更板５０は収納用凹部３０に収納されている。
【００３２】
特に、板状清掃部材４０の上側にあり、これを全面的に覆う気流変更板５０はケーシング２３と同一面を形成し、送風路２４へ突出していないので、送風路２４に導かれる熱交換空気に対する何らの障害にもなっていない。すなわち、吹出口６から吹出される熱交換空気の送風抵抗とならずにすむ。  
空調運転を長期間継続すると、必然的に前部エアフィルタ１１Ａと、上部エアフィルタ１１Ｂに室内空気から捕捉した埃が堆積するとともに、前、上部エアフィルタ１１Ａ，１１Ｂおよび空気清浄ユニット１７においても捕捉されなかった埃が室内熱交換器８を通過し、室内送風機２０を構成する横流ファン２１に付着する。
【００３３】
上記制御部Ｓは、所定の空調運転累積時間の経過後に機内クリーン運転を行うべく、エアフィルタ清掃装置Ａと、ファン清掃装置Ｂと、オゾン発生装置（電気集塵機）１８と、排気装置Ｄに作動開始信号を送り、互いの装置が連動して実施するよう制御する。もしくは、ユーザーが任意でリモコンの掃除スイッチを押すことで、制御部Ｓから各装置へ作動開始信号を送れるように設定してもよい。  
このとき上記制御部Ｓは、可動パネル２Ａの駆動部へ信号を送って前部吸込口４を閉成するとともに、吹出しルーバー７ａ，７ｂの駆動部へ信号を送って吹出口６を閉成する。予め室内機本体１を略密閉構造化することにより、収集した埃が漏れるのを可能な限り防止する。
【００３４】
これらの閉成完了後のタイミングをとって、はじめにエアフィルタ清掃装置Ａへ作動開始信号が送られる。エアフィルタ清掃装置Ａでは前部エアフィルタ１１Ａを上部エアフィルタ１１Ｂ側へ移動させるとともに、ダストボックス１２内のロールブラシ１３を回転駆動して、前部エアフィルタ１１Ａに付着している埃を掻き落す。掻き落された埃は、ダストボックス１２内の埃受け通路１４に受け入れられる。  
前部エアフィルタ１１Ａが上部エアフィルタ１１Ｂの上面側に移動したら、今度は元の前部吸込口４方向へ移動させ、ロールブラシ１３は前部エアフィルタ１１Ａに残っている埃を除去する。前部エアフィルタ１１Ａが元の位置に戻ったあと、上部エアフィルタ１１Ｂを前部エアフィルタ１１Ａ側へ移動させ、付着している埃が除去される。
【００３５】
掻き落された埃は、ダストボックス１２内の埃受け通路１４に受け入れられる。上部エアフィルタ１１Ｂが前部エアフィルタ１１Ａの前面側に移動したら、今度は元の上部吸込口５方向へ移動させ、ロールブラシ１３は上部エアフィルタ１１Ｂに残っている埃を除去する。  
そのあと、エアフィルタ清掃装置Ａとしての作用が停止される。前部エアフィルタ１１Ａと上部エアフィルタ１１Ｂともに２度ずつ埃の除去作業がなされ、清掃効果が完璧となる。ダストボックス１２の埃受け通路１４には除去した埃が収集されているので、制御部Ｓは排気装置Ｄへ作動信号を送り、収集された埃を屋外へ排出する。
【００３６】
上記排気装置Ｄにおいて、換気ダンパ３５が回動して導入口３７を閉成し、したがってファン用案内路３３が閉成される。ついで、換気ファン３８が回転駆動され、ファンケーシング３６内が負圧状態となる。この影響でダンパケース７２内も負圧状態となり、風力ダンパ３４はエアフィルタ用案内路３２を開放する。  
エアフィルタ用案内路３２からダストボックス１２内の埃受け通路１４に負圧がかかり、収集されていた埃がエアフィルタ用案内路３２からファンケーシング３６内に導かれ、排気ダクト３９から屋外へ排出される。このように換気ダンパ３５がファン用案内路３３を閉成すると、風力ダンパ３４はエアフィルタ用案内路３２を開放し、エアフィルタ清掃装置Ａが収集した埃を屋外へ排出する。  
つぎに、制御部Ｓはファン清掃装置Ｂへ作業開始信号を送るとともに、排気装置Ｄによる排気運転を実行させ、換気ダンパ３５へ切換え信号を送る。ファン清掃装置Ｂは、収納用凹部３０に収納される気流変更板５０を起立させ、所定角度になったところで板状清掃部材４０を回動付勢する。
【００３７】
図１に示すように板状清掃部材４０を起立させて先端のブラシ４２を横流ファン２１のブレード２７に接触させる構成となっている。また、気流変更板５０は先端が板状清掃部材４０の側部に接触するよう斜め姿勢となる状態で支持される。そのうえで、上記制御部Ｓは、横流ファン２１を時計回り方向に低速で回転するよう制御する。  
横流ファン２１の回転にともなってブラシ４２の毛先が摺接し、横流ファン２１のブレード２７に付着していた埃が除去される。その一方で、板状清掃部材４０は横流ファン２１の回転方向に付勢力を受けて倒れ込もうとするが、気流変更板５０が反回転方向側から支持するので倒れ込みがなく、埃除去を支障なく継続できる。
【００３８】
同時に、排気装置Ｄにおける換気ダンパ３５は導入口３７を開放するとともに、排気装置による排気運転を実行させる。したがって、導入口３７と横流ファン２１の埃回収用開口部２８とが、横流ファン２１の端板２５との間隙であるファン用案内路３３を介して対向する。  
上記横流ファン２１の低速回転により、常時開放している上部吸込口５から室内空気が室内機本体１内に吸込まれ、室内熱交換器８の前側熱交換器部８Ａと後側熱交換器部８Ｂを流通する。室内熱交換器８から流出した二次側空気は換気ファン３８の作動により、導入口３７からファンケーシング３６内に吸込まれる。
【００３９】
さらに、ファン用案内路３３を介して横流ファン２１の埃回収用開口部２８に負圧がかかる。横流ファン２１から掻き落された埃は埃回収用開口部２８からファン用案内路３３に導かれ、導入口３７において二次側空気と合流して排気装置Ｄ内に導入される。そして、埃は二次側空気とともに排気ダクト３９を介して屋外へ排出される。  
このとき、吹出しルーバー７ａ，７ｂが吹出口６を閉成したうえで横流ファン２１を低速回転させ、しかも気流変更板５０が板状清掃部材４０とともにケーシング２３によって形成される送風路２４中に突出している。
【００４０】
そのため、特に図１に示すように、気流変更板５０と板状清掃部材４０が擬似ノーズの作用をなし、気流は横流ファン２１と、横流ファン２１の周辺である室内熱交換器８の二次側を循環する循環流Ｒを形成する。  
循環流Ｒは、室内熱交換器８の二次側空気として、排気装置Ｄの導入口３７から吸込まれて屋外へ排気される。したがって、横流ファン２１から掻き落された埃を含む気流が、横流ファン２１周辺へ飛散し、もしくは各構成部品に付着することなく、室内機本体１内部の清潔度を保持する。
【００４１】
このようにして上記制御部Ｓは、排気装置Ｄによる排気運転を実行しながらファン清掃装置Ｂによるファン清掃運転を実行するよう制御する。さらにそのうえ制御部Ｓは、以上のファン清掃運転と同様に、排気装置Ｄによる排気運転を実行しながらオゾン発生装置１８によりオゾンを発生させて、室内機本体１内の殺菌運転を実施するよう制御する。  
オゾン発生による殺菌運転は、ファン清掃装置Ｂによるファン清掃運転中において、図１に示すように板状清掃部材４０と気流変更板５０の姿勢を保持する。また、ファン清掃運転が終了し次第、気流変更板５０を直立させるとともに、板状清掃部材４０を斜めに倒れ込む位置にして先端のブラシ４２を横流ファン２１から離間させ、ファン清掃が行われない状態にする。
【００４２】
上記循環流Ｒは、可動パネル２Ａが前部吸込口４を閉成し、吹出しルーバー７ａ，７ｂで吹出口６を閉成したうえで、横流ファン２１を低速回転させるとともに気流変更板５０を送風路２４中に起立させることで得られる。循環流Ｒは、図１で示した状態もしくは、この状態と略同様の流れとなって室内機本体１内部を循環し、流れに接触する構成部品はオゾン殺菌される。  
オゾン殺菌された空気は、室内熱交換器８の通風二次側空気として、ついには排気装置Ｄの導入口３７から吸込まれて屋外へ排気される。このとき導入口３７が開放されているので、風力ダンパ３４はエアフィルタ用案内路３２を閉成し、上記の空気がエアフィルタ清掃装置Ａに導かれることはない。  
特に、エアフィルタ清掃やファン清掃など機内クリーン装置Ｋが作動する際、直前に行われる空調運転が冷房運転もしくは除湿運転であると、室内機本体１内の湿度が上昇してエアフィルタ１１および横流ファン２１に付着する埃が水分を吸収し、除去し難い状態となる。
【００４３】
したがって、このときは事前に機内乾燥運転を行うと、より効率よく埃の除去が可能である。機内乾燥運転として、送風運転を行う、もしくは暖房運転をなすとともに前面パネル２および吹出しルーバー７ａ，７ｂを所定角度に設定しショートサーキット送風回路を構成することで可能である。  
なお、排気装置Ｄによる排気運転を実行しながらファン清掃装置Ｂによるファン清掃運転を実行する手段と、排気装置Ｄによる排気運転を実行しながらオゾン発生装置１８によるオゾン殺菌運転を実行する手段とは、順に、あるいはラップした状態で実施してもよい。
【００４４】
また、それぞれを同時に、すなわち、排気装置Ｄによる排気運転を実行しながら、上記ファン清掃装置Ｂによるファン清掃運転およびオゾン発生装置１８によるオゾン殺菌運転を同時に実行するようようにしてもよい。  
このようにすることで、ファン２１に付着した、カビの胞子や微細な埃を直接除去するとともに、オゾン殺菌により殺菌することで、短時間で機内クリーン運転が可能となる。さらに、ファン清掃運転およびオゾン殺菌運転を同時に実行すれば、より機内クリーン運転の時間短縮が可能となる。
【００４５】
なお、上記運転時期を同時に実行するとは、運転開始から停止までを、全て同一にするものばかりではなく、運転時期が重なり合えば、起動と停止時期に多少のずれが生じている場合でも同等の作用効果を得られることは言うまでもない。  
なお、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより種々の発明を形成できる。
【図面の簡単な説明】
【００４６】
【図１】本発明における一実施の形態に係る、空気調和機室内機の概略断面図。
【図２】同実施の形態に係る、前面パネルを取外した室内機の正面図。
【図３】同実施の形態に係る、横流ファンの概略の構成図。
【図４】同実施の形態に係る、ファン清掃装置における駆動部の外観斜視図。
【図５】同実施の形態に係る、収納用凹部に板状清掃部材と気流変更板が収納されている状態を示す要部の断面図。
【図６】同実施の形態に係るエアフィルタ清掃装置とファン清掃装置の作用時における埃の流れを説明する図。
【図７】同実施の形態に係る、エアフィルタ清掃装置の一部と排気装置の外観斜視図。
【符号の説明】
【００４７】
１…室内機本体、４，５…（前部、上部）吸込口、７…吹出口、１１…エアフィルタ、８…室内熱交換器、２０…室内送風機、２７…ブレード、Ｂ…ファン清掃装置、１８…オゾン発生装置（電気集塵機）、Ｄ…排気装置、Ｓ…制御部、２Ａ…可動パネル、７ａ，７ｂ…吹出しルーバー。
【図１】
2008045823.tif 000003
【図２】
2008045823.tif 000004
【図３】
2008045823.tif 000005
【図４】
2008045823.tif 000006
【図５】
2008045823.tif 000007
【図６】
2008045823.tif 000008
【図７】
2008045823.tif 000009